【手続補正書】
【提出日】平成21年9月1日(2009.9.1)
【手続補正１】
【補正対象書類名】特許請求の範囲
【補正対象項目名】全文
【補正方法】変更
【補正の内容】
【特許請求の範囲】
【請求項１】
第１端および第２端を有する、光学的および電子的装置を収容する内側ハウジングであって、該内側ハウジングが該内側ハウジングの内側から内方に延出する第１および第２環状リングを含み、該第１および第２環状リングが前記内側ハウジングの前記第１端および第２端にそれぞれ向く面を有する、内側ハウジングと、
前記内側ハウジングの対応する前記第１端および第２端に固定されるよう構成された、ケーブルの端部を受容して成端する第１および第２成型終端部であって、少なくとも前記第１および第２成型終端部の一部が、モールドされた誘電体材料を含み且つ前記内側ハウジングの対応する前記第１端および第２端の内側に位置するように構成され、且つ前記第１および第２成型終端部が、前記モールドされた誘電体材料を含む前記第１および第２成型終端部の少なくとも一部がそれぞれ前記第１および第２環状リングの前記面に対し封止されるように固定されるよう構成されている、第１および第２成型終端部と、
前記内側ハウジングおよび前記第１、第２成型終端部の外側に位置するように構成された、前記成型終端部により前記内側ハウジングおよび前記強度ハウジングから電圧が隔離される外側強度ハウジングと、
を備えることを特徴とする海中機器ハウジング。
【請求項２】
前記第１および第２環状リングは、前記光学的および電子的装置が前記第１および第２環状リングの間に位置するように構成されていることを特徴とする請求項１記載の海中機器ハウジング。
【請求項３】
前記内側ハウジングの前記第１端および第２端と、前記第１および第２成型終端部の対応する内側部分との間に連結されるリテーニングリングをさらに含み、該リテーニングリングは、前記第１および第２成型終端部の前記内側部分を対応する前記第１および第２環状リングに固定するように構成されていることを特徴とする請求項１記載の海中機器ハウジング。
【請求項４】
さらに、前記内側ハウジングの内側に位置する誘電体成型部を有することを特徴とする請求項１記載の海中機器ハウジング。
【請求項５】
前記強度ハウジングが、ともに連結されるよう構成された複数の強度ハウジング要素を含むことを特徴とする請求項１記載の海中機器ハウジング。
【請求項６】
前記成型終端部が、誘電体材料によってオーバーモールドされたケーブル終端構造を含むことを特徴とする請求項１記載の海中機器ハウジング。
【請求項７】
前記環状リングの内側に位置するよう構成された誘電体成型部をさらに有することを特徴とする請求項１記載の海中機器ハウジング。
【請求項８】
前記強度ハウジングが、
前記内側ハウジングの中間部の外側に位置するように構成される中間部品と、
前記内側ハウジングの対応する前記第１および第２端を越えて位置するように構成され、且つ前記中間部品に連結されるように構成される第１および第２端部部品と、
対応する前記第１および第２成型終端部の外側に位置するように構成され、且つ対応する前記第１および第２端部部品に連結されるよう構成された第１および第２外側部品とを有することを特徴とする請求項１記載の海中機器ハウジング。
【請求項９】
第１端および第２端を有する内側ハウジングと、
該内側ハウジングに収容される中継器光学的および電気的装置と、
前記内側ハウジングの対応する前記第１端および第２端に固定される、ケーブルの端部を受容して成端する第１および第２成型終端部であって、該成型終端部の少なくとも一部が、前記成型終端部が前記内側ハウジングの内部を密閉するように前記内側ハウジングの対応する前記第１端および第２端の内側に位置し、前記成型終端部が誘電体材料でオーバーモールドされたケーブル終端構造を含む、第１および第２成型終端部と、
前記内側ハウジングおよび前記第１、第２成型終端部の外側に位置し、前記成型終端部により前記光学的および電気的装置と前記内側ハウジングおよび前記強度ハウジングとの間で電圧が隔離される外側強度ハウジングと、
を備えることを特徴とする中継器。
【請求項１０】
前記内側ハウジングが該内側ハウジングから内方に延出する第１および第２環状リングを含み、該第１および第２環状リングが前記第１および第２端に向く面を夫々含み、前記光学的および電気的装置が前記第１および第２環状リング間に位置することを特徴とする請求項９記載の中継器。
【請求項１１】
前記第１および第２成型終端部が、前記第１および第２環状リングの前記面に夫々封止されていることを特徴とする請求項１０記載の中継器。
【請求項１２】
前記内側ハウジングの前記第１端および第２端と、対応する前記第１および第２成型終端部の対応する内側部分との間に連結されるリテーニングリングをさらに含み、該リテーニングリングにより前記第１および第２成型終端部の前記内側部分が前記第１および第２環状リングの対応する前記面に固定されるように構成されていることを特徴とする請求項１０記載の中継器。
【請求項１３】
前記第１および第２環状リングの内側に位置する誘電体成型部をさらに有することを特徴とする請求項１０記載の中継器。
【請求項１４】
前記内側ハウジングの内側に位置する誘電体成型部をさらに有することを特徴とする請求項９記載の中継器。
【請求項１５】
前記強度ハウジングが、ともに連結される複数の強度ハウジング要素を含むことを特徴とする請求項９記載の中継器。
【請求項１６】
前記強度ハウジングが、
前記内側ハウジングの中間部の外側に位置する中間部品と、
前記内側ハウジングの対応する前記第１および第２端を越えて位置し、且つ前記中間部品に連結される第１および第２端部部品と、
対応する前記第１および第２成型終端部の外側に位置し、且つ対応する前記第１および第２端部部品に連結される第１および第２外側部品と、
を有することを特徴とする請求項９記載の中継器。
【請求項１７】
第１端および第２端を有する、光学的および電子的装置を収容する内側ハウジングであって、該内側ハウジングが該内側ハウジングの内側から内方に延出する第１および第２環状リングを含み、該第１および第２環状リングが前記内側ハウジングの前記第１端および第２端にそれぞれ向く面を有する、内側ハウジングと、
前記内側ハウジングの対応する前記第１端および第２端に固定されるよう構成された、ケーブルの端部を受容して成端する第１および第２成型終端部であって、該第１および第２成型終端部の少なくとも一部が前記内側ハウジングの対応する前記第１端および第２端の内側に位置するように構成されるとともに、対応する前記第１および第２環状リングの前記面に対し固定されて封止されるよう構成されている第１および第２成型終端部と、
前記内側ハウジングの前記第１端および第２端と、前記第１および第２成型終端部の対応する内側部分との間に連結されるリテーニングリングであって、該リテーニングリングにより前記第１および第２成型終端部の前記部分が対応する前記第１および第２環状リングに固定されるように構成されているリテーニングリングと、
前記内側ハウジングおよび前記第１、第２成型終端部の外側に位置するように構成された外側強度ハウジングであって、該外側強度ハウジングが、前記内側ハウジングの中間部の外側に位置するよう構成された中間部品、前記内側ハウジングの対応する前記第１端および第２端を越えて位置するよう構成されるとともに前記中間部品に連結されるよう構成された第１および第２端部部品、および対応する前記第１および第２成型終端部の外側に位置するように構成されるとともに対応する前記第１および第２端部部品に連結されるよう構成された第１および第２外側部品とを有する外側強度ハウジングと、
を備えることを特徴とする海中機器ハウジング。
【手続補正２】
【補正対象書類名】明細書
【補正対象項目名】００３２
【補正方法】変更
【補正の内容】
【００３２】
外側強度ハウジング１３０は、内側ハウジング１１０および成型終端部１２０ａ、１２０ｂの外側に位置し、形状は略円筒形であってもよい。外側強度ハウジング１３０は、鋼の如き金属材料で製造してもよく、所望の強度特性を有するように設計してもよい。外側強度ハウジング１３０は、例えば、外側部品（第１外側部品１３２ａ、第２外側部品１３２ｂ）、端部部品１３４ａ、１３４ｂおよび一つ以上の中間部品１３６のように互いに固定された多数の強度ハウジング要素を含んでもよい。端部部品１３４ａ、１３４ｂは、内側ハウジング１１０の端部１１２ａ、１１２ｂを超えて延出し、外側強度ハウジング１３０の外側部品１３２ａ、１３２ｂと係合する係合部１３８ａ、１３８ｂを含んでもよい。端部部品１３４ａ、１３４ｂは、他端１３９ａ、１３９ｂで、中間部品１３６に対してねじを切ってもよい。端部部品１３４ａ、１３４ｂは、また、他の手段によりピン止めし、あるいは圧接し、および共に保持してもよい。図示の実施形態では、外側強度ハウジング１３０は、保護のために且つケーブルの張力からハウジングを安定したものにするために設計される。図示の実施形態では、特定の形状や構造を有する５つの部品構造を示しているが、当業者にとって強度ハウジングは他の形状、構造を有してもよいことを理解できよう。